(57)【要約】      （修正有）【課題】保温性を有する現代風な素材を利用し、洗濯に適した衛生面での取り扱いを優先しつつ着用時の作業性を向上でき、屋外やオフィス又は公共施設などでの着用にも適した防寒具を提供する。【解決手段】人体Ａの背中及び腰部を後方から覆って防寒する後身頃１０と、後身頃１０の上端の左右両位置より人体Ａの胸Ａ５の上部付近までを前方から覆って防寒する左右の肩ヨーク１１と、左右の肩ヨーク１１の下端１１１に一端が連結され、かつ人体Ａの背中付近に対応する後身頃１０の略中央部の左右両端位置に他端側が掛け渡された左右一対の掛け紐部１２と、を備えた袖無し半纏タイプの防寒具Ｗ１を前提とする。そして、後身頃１０、各肩ヨーク１１及び各掛け紐部１２を、フリースなどの保温性を有する素材を表裏材１３，１４にそれぞれ用いて当該表裏材１３，１４を互いに重ね合わせた２層構造で形成している。【選択図】図１
0003177490.tif 000002
【実用新案登録請求の範囲】
【請求項１】
人体の背中及び腰部を後方から覆って防寒する後身頃と、この後身頃の上端の左右両位置より人体の胸の上部付近までを前方から覆って防寒する左右の肩ヨークと、前記左右の肩ヨークの下端及び人体の背中付近に対応する前記後身頃の略中央部の左右両端位置のいずれか一方に一端が連結され、かつ他方に他端側が掛け渡された左右一対の掛け紐部と、を備えた袖無し半纏タイプの防寒具であって、
前記後身頃、前記各肩ヨーク及び前記各掛け紐部のうちの少なくとも後身頃及び各肩ヨークは、フリース又はボアなどの保温性を有する素材を表裏材のうちの少なくとも一方に用いて当該表裏材を互いに重ね合わせた２層構造で形成されていることを特徴とする防寒具。
【請求項２】
前記後身頃は、その上端が人体の首の裾に沿う位置まで延長しているとともに、前記各肩ヨークは、前記後身頃上端の延長部分の左右両端から肩幅端までの左右の両肩頂部分から人体の胸の上部付近に回り込むまでの間に左右幅が収束され、その収束した下端が人体の胸の上部において前記各掛け紐部の一端又は他端側に連結されている請求項１に記載の防寒具。
【請求項３】
前記表裏材は、互いの色調又は柄模様を異ならせている請求項１又は請求項２に記載の防寒具。
【請求項４】
前記各掛け紐部は、当該各掛け紐部の長さを前記各肩ヨークの下端と前記後身頃の略中央部の左右両端位置との間で着用者の体型に則した長さに調節する調節具を備えている請求項１〜請求項３のいずれか１つに記載の防寒具。
【請求項５】
前記後身頃は、人体の背中に対応する上側部分と人体の腰部に対応する下側部分とを備え、前記下側部分が前記上側部分に対し連結手段を介して取り外し可能に連結されている請求項１〜請求項４のいずれか１つに記載の防寒具。
【請求項６】
前記後身頃及び前記各肩ヨークは、前記表裏材のうちのいずれか一方にフリース又はボアなどの素材よりも薄い薄素材が用いられている一方、他方にフリースやボアなどの素材が用いられ、これらを互いに重ね合わせた状態で刺し縫いされている請求項１〜請求項５のいずれか１つに記載の防寒具。
【請求項７】
前記後身頃は、発熱材を収容する収容部を備えている請求項１〜請求項６のいずれか１つに記載の防寒具。
【考案の詳細な説明】
【技術分野】
【０００１】
本考案は、防寒具に関し、詳しくは、人体の背中及び腰を覆う袖無し半纏タイプのものに係る。
【背景技術】
【０００２】
この種の防寒具は、信州の南木曽地方で伝承的に使用されてきた「ねこ」や「ねんねこ半纏」に根源があり、着用した際に人体の背中及び腰部を覆って保温するようにしたものであり、近年の節電対策を図る上で、注目を集めつつある。
このような防寒具としては、従来より、人体の背中及び腰部を後方から覆って防寒する本体部と、この本体部の左右両位置にそれぞれ上端が連結され、人体の背中の下部付近に対応する前記本体部の対応位置の左右両端に掛け渡される左右一対の掛け紐部と、を備えたものが知られている（例えば、特許文献１参照）。そして、本体部は、表裏を構成する表裏材同士の間に保温性を有する真綿等を挟んで重ね合わせた３層構造に形成されている。
【先行技術文献】
【特許文献】
【０００３】
【特許文献１】実開昭６１−１５５３１４号公報
【考案の概要】
【考案が解決しようとする課題】
【０００４】
ところが、前記従来のものでは、以下に述べるような課題が存在する。
すなわち、表裏材同士の間に真綿等が挟まれているため、洗濯した際に乾燥に時間を要したり、真綿が偏るなどして防寒具が型くずれするおそれもあり、洗濯に不向きであることから、衛生面での取り扱いが不便であった。更に、表裏材同士の間に挟んだ真綿によって着ぶくれ感が懸念され、着用した状態での動作が制約されて作業性が悪いものとなる。
【０００５】
しかも、素材自体が伝承的な和風調のものであるため、現代の装いには合致し難く、自ずと用途が限られたものとなる。このため、屋外での着用はもちろんのこと、冬季に室温の低下傾向の進行に伴うオフィスなどでの着用や公共施設での着用には不向きであった。
【０００６】
本考案は、かかる点に鑑みてなされたものであり、その目的とするところは、保温性を有する現代風な素材を利用し、洗濯に適した衛生面での取り扱いを優先しつつ着用時の作業性を向上でき、屋外やオフィス又は公共施設などでの着用にも適した防寒具を提供することにある。
【課題を解決するための手段】
【０００７】
前記目的を達成するため、本考案では、人体の背中及び腰部を後方から覆って防寒する後身頃と、この後身頃の上端の左右両位置より人体の胸の上部付近までを前方から覆って防寒する左右の肩ヨークと、前記左右の肩ヨークの下端及び人体の背中付近に対応する前記後身頃の略中央部の左右両端位置のいずれか一方に一端が連結され、かつ他方に他端側が掛け渡された左右一対の掛け紐部と、を備えた袖無し半纏タイプの防寒具を前提とする。そして、前記後身頃、前記各肩ヨーク及び前記各掛け紐部のうちの少なくとも後身頃及び各肩ヨークは、フリース又はボアなどの保温性を有する素材を表裏材のうちの少なくとも一方に用いて当該表裏材を互いに重ね合わせた２層構造で形成することを特徴としている。
【０００８】
また、前記後身頃は、その上端が人体の首の裾に沿う位置まで延長されているとともに、前記各肩ヨークは、前記後身頃上端の延長部分の左右両端から肩幅端までの左右の両肩頂部分から人体の胸の上部付近に回り込むまでの間に左右幅が収束され、その収束した下端が人体の胸の上部において前記各掛け紐部の一端又は他端側に連結されていてもよい。
【０００９】
また、前記表裏材は、互いの色調又は柄模様を異ならせていてもよい。
【００１０】
また、前記各掛け紐部は、当該各掛け紐部の長さを前記各肩ヨークの下端と前記後身頃の略中央部の左右両端位置との間で着用者の体型に則した長さに調節する調節具を備えていてもよい。
【００１１】
また、前記後身頃は、人体の背中に対応する上側部分と人体の腰部に対応する下側部分とを備え、前記下側部分が前記上側部分に対し連結手段を介して取り外し可能に連結されていてもよい。
【００１２】
また、前記後身頃及び前記各肩ヨークは、前記表裏材のうちのいずれか一方にフリース又はボアなどの素材よりも薄い薄素材が用いられている一方、他方にフリースやボアなどの素材が用いられ、これらを互いに重ね合わせた状態で刺し縫いされていてもよい。
【００１３】
更に、前記後身頃は、発熱材を収容する収容部を備えていてもよい。
【考案の効果】
【００１４】
以上、要するに、後身頃、各肩ヨーク及び各掛け紐部のうちの少なくとも後身頃及び各肩ヨークを、フリース又はボアなどの保温性を有する素材を用いた表裏材を互いに重ね合わせて２層構造で形成することで、表裏材同士の間に真綿等を挟んだもののように、洗濯した際に乾燥に時間を要したり、型くずれすることもなく、洗濯に適した衛生面での取り扱いを優先することができる。また、少なくとも後身頃及び各肩ヨークが表裏材による２層構造であることから、真綿による着ぶくれ感も解消され、着用した状態での動作が制約されずに作業性を向上させることができる。しかも、フリース又はボアなどの素材を表裏材に用いることで、伝承的な和風調のものから現代風に変調されて現代の装いにも自然と合致し、屋外での着用はもちろんのこと、冬季に室温の低下傾向の進行に伴うオフィスなどでの着用や公共施設での着用にも十分に適合することができる。
【００１５】
また、後身頃上端の延長部分の左右両端から肩幅端までの左右の両肩頂部分から人体の胸の上部付近に回り込むまでの間に左右幅を収束させた各肩ヨークの下端を各掛け紐部の一端又は他端側に連結することで、人体の首の裾より左右の両肩を前後両方向から包み込んで保温し、人体の首の裾や左右の両肩を効果的に暖めることができる。
【００１６】
また、表裏材の互いの色調、模様又は素材を異ならせることで、表裏材が相互で異なるイメージとなり、服装に合わせて好みで表裏材を反転させて着用することも可能となり、リバーシブル機能を発揮してファッション性を高めることができる。
【００１７】
また、各掛け紐部の長さを各肩ヨークの下端と後身頃の略中央部の左右両端位置との間で着用者の体型に則した長さに調節することで、着用時に防寒具のフィット感が高められ、後身頃及び各肩ヨークのずれをなくして防寒具を円滑に着用することができる。
【００１８】
また、後身頃の上側部分に対し下側部分を連結手段により取り外し可能に連結することで、丈の短い上着のインナーとして防寒具を着用する際に下側部分を取り外しておけば後身頃が上着からはみ出すことがなく、防寒具を上着の丈の長さに応じてインナーとして見栄えよく着用することができる。一方、丈の短い上着のアウターとして防寒具を着用する際に下側部分を取り付けておけば、上着の外方から後身頃で覆われて腰部の保温効果を発揮することができる。
【００１９】
また、後身頃及び各肩ヨークの表裏材のいずれか一方にフリース又はボアなどの素材よりも薄い薄素材を用いる一方、他方にフリースやボアなどの素材を重ね合わせた状態で刺し縫いすることで、表裏材がごわ付くことなく一体的に纏まり、保温性を備えたインナーとして防寒具を着用することができる。
【００２０】
更に、後身頃に発熱材を収容する収容部を設けることで、気温や体調に応じた積極的な防寒対策を実践することができる。
【図面の簡単な説明】
【００２１】
【図１】本考案の第１の実施の形態に係る防寒具を人体に着用した状態で前方から見た正面図である。
【図２】図１の防寒具を後方から見た背面図である。
【図３】図１の防寒具を斜め前方から見た斜視図である。
【図４】図１の防寒具を人体から外して展開した状態を示す展開図である。
【図５】図１の防寒具の掛け紐部を調節するバックルの縦断側面図である。
【図６】第１の実施の形態のその他の変形例に係る防寒具を前方から見た正面図である。
【図７】第１の実施の形態のその他の変形例に係る防寒具を前方から見た正面図である。
【図８】第１の実施の形態のその他の変形例に係る防寒具の一方の掛け紐部を前方から見た正面図である。
【図９】第１の実施の形態の変形例に係る防寒具の一方の掛け紐部を前方から見た正面図である。
【図１０】図９の掛け紐部を調節するバックル及び角カン付近の縦断側面図である。
【図１１】第１の実施の形態のその他の変形例に係る防寒具の一方の掛け紐部を前方から見た正面図である。
【図１２】図１１の掛け紐部の一端側付近での縦断側面図である。
【図１３】図１１の掛け紐部の他端側付近での縦断側面図である。
【図１４】本考案の第２の実施の形態に係る防寒具を人体に着用した状態で前方から見た正面図である。
【図１５】図１４の防寒具を後方から見た背面図である。
【図１６】図１４の防寒具を斜め前方から見た斜視図である。
【図１７】図１４の防寒具の連結手段を後方から見た背面図である。
【図１８】図１４の防寒具を表裏反転させて人体に着用した状態を示す展開図である。
【図１９】図１８の防寒具を後方から見た背面図である。
【図２０】図１８の防寒具を斜め前方から見た斜視図である。
【図２１】第２の実施の形態の変形例に係る防寒具を人体に着用した状態で前方から見た正面図である。
【図２２】第２の実施の形態のその他の変形例に係る防寒具の連結手段を後方から見た背面図である。
【考案を実施するための形態】
【００２２】
以下、添付図面を参照しながら、本考案の実施の形態について説明し、本考案の理解に供する。なお、以下の実施の形態は、本考案を具体化した一例であって、本考案の技術的範囲を限定する性格のものではない。
【００２３】
図１は本考案の第１の実施の形態に係る防寒具を前方から見た正面図、図２は防寒具を後方から見た背面図、図３は防寒具を人体に着用した状態で斜め前方から見た斜視図、図４は防寒具を人体から外して展開させた展開図をそれぞれ示している。
【００２４】
図１〜図４において、Ｗ１は本考案の実施の形態に係る防寒具であって、この防寒具Ｗ１は、袖無し半纏タイプのものであり、人体Ａの背中Ａ１及び腰部Ａ２を後方から覆って防寒する後身頃１０と、この後身頃１０の上端の左右両位置より人体Ａの胸Ａ５の上部付近までを前方から覆って防寒する左右の肩ヨーク１１，１１と、この各肩ヨーク１１，１１の下端１１１，１１１にそれぞれ一端が一体的に連結され、他端側が人体Ａの背中Ａ１の略中央部付近に対応する後身頃１０の略中央部の左右両端位置１０１，１０１に掛け渡される左右一対の掛け紐部１２，１２とを備えている。そして、防寒具Ｗ１は、上着の上から着用されるアウターとして適用される。
【００２５】
後身頃１０、各肩ヨーク１１及び各掛け紐部１２は、保温性を有するフリースよりなる素材がそれぞれ用いられた表裏材１３，１４を備え、この表裏材１３，１４を互いに重ね合わせて２層構造で形成されている。この表裏材１３，１４は、表側材１３が水色に着色されている一方、裏側材１４が紺色に着色され、互いの色調を異ならせている。この表側材１３と裏側材１４とは、互いの周縁全域において縫着され、後身頃１０、各肩ヨーク１１及び各掛け紐部１２を一体的に成形している。この場合、各掛け紐部１２は、後身頃１０及び各肩ヨーク１１の表裏材１３，１４と同じとも布により形成され、略均一な左右幅（例えば４０ｍｍ程度）に形成されている。
【００２６】
また、後身頃１０は、その上端が人体Ａの首Ａ３の裾に沿う位置まで延長されている。左右の肩ヨーク１１，１１は、人体Ａの首Ａ３の裾に沿う位置まで延長された後身頃１０の延長部分１５の左右両端Ｑから肩幅端Ｐまでの左右の両肩頂部分より人体Ａの胸Ａ５の上部付近まで回り込んで形成され、その人体Ａの胸Ａ５の上部に回り込むまでの間に左右幅が収束され、その収束した下端１１１が各掛け紐部１２の一端（上端）に一体的に連結されている。この場合、左右の肩ヨーク１１，１１は、延長部分１５の左右両端Ｑから肩幅端Ｐまでの各肩ヨーク１１の基端（左右の両肩頂部分）での左右幅は１５０ｍｍ程度であり、これが胸Ａ５の上部付近に回り込むまでの間に各掛け紐部１２の左右幅と一致する４０ｍｍ程度の左右幅まで徐々に収束している。
【００２７】
各掛け紐部１２は、各肩ヨーク１１の下端１１１に対し人体Ａの胸Ａ５の上部の左右両位置でそれぞれ一端（上端）が連結された掛け紐部本体１７と、この掛け紐部本体１７の他端側を後身頃１０の略中央部の左右両端位置１０１，１０１との間で着用者（人体Ａ）の体型に則した長さに調節する調節具としての略８の字状のバックル１８とを備えている。バックル１８は、図５に示すように、略矩形枠状を呈するバックル本体１８１の枠体内を中央位置で上下の上側枠体と下側枠体とに２分割する分割片１８２を有し、掛け紐部本体１７の他端側が上側枠体内に裏側（人体Ａ側）から挿通されて分割片１８２を乗り越えた後に下側枠体内に表側（反人体Ａ側）から挿通されて掛け紐部本体１７の他端側を拘束している。そして、バックル１８の分割片１８２には各掛け紐部１２と同じ素材（とも布）を用いた包持帯１８３が掛け渡され、この包持帯１８３の両端が後身頃１０の略中央部の左右両端位置１０１，１０１に縫着されることによって、バックル１８を後身頃１０の略中央部の左右両端位置１０１に取り付けている。また、各掛け紐部本体１７は、バックル１８の上側枠体内に他端側を挿通して分割片１８２を乗り越えた後に下側枠体内に挿通させて最適な位置まで引き込むことで、各肩ヨーク１１の下端１１１と後身頃１０の略中央部の左右両端位置１０１との間で着用者の体型に則した長さに調節される。
【００２８】
したがって、本実施の形態では、後身頃１０、各肩ヨーク１１及び各掛け紐部１２が、フリースよりなる保温性を有する素材からなる表裏材１３，１４を互いに重ね合わせて２層構造に形成されているので、表裏材同士の間に真綿等を挟んだもののように、洗濯した際に乾燥に時間を要したり、型くずれすることもなく、洗濯に適した衛生面での取り扱いを優先することができる。また、防寒具Ｗ１が表裏材１３，１４による２層構造であることから、真綿による着ぶくれ感も解消され、着用した状態での動作が制約されずに作業性を向上させることができる。しかも、フリースよりなる素材を表裏材１３，１４に用いることで、伝承的な和風調のものから現代風に変調されて現代の装いにも自然と合致し、屋外での着用はもちろんのこと、冬季に室温の低下傾向の進行に伴うオフィスなどでの着用や公共施設での着用にも十分に適合することができる。
【００２９】
また、上端を人体Ａの首Ａ３の裾に沿う位置まで延長させた延長部分１５の左右両端Ｑから肩幅端Ｐまでの左右の両肩頂部分から人体Ａの胸Ａ５の上部位置に回り込むまでの間に左右幅を４０ｍｍ程度まで徐々に収束させた各肩ヨーク１１の下端１１１，１１１に各掛け紐部１２の一端が連結されているので、人体Ａの首Ａ３の裾より左右の両肩Ａ４，Ａ４を前後両方向から包み込んで保温し、人体Ａの首Ａ３の裾や左右の両肩Ａ４，Ａ４を効果的に暖めることができる。
【００３０】
また、表裏材１３，１４は、表側材１３が水色に着色されている一方、裏側材１４が紺色に着色されて、互いの色調を異ならせているので、表裏材１３，１４が相互で異なるイメージとなり、服装に合わせて好みで表裏材１３，１４を反転させて着用することも可能となり、リバーシブル機能を発揮してファッション性を高めることができる。
【００３１】
また、左右の肩ヨーク１１，１１の下端１１１，１１１に一端を連結した掛け紐部本体１７の他端側が、後身頃１０の略中央部の左右両端位置１０１，１０１との間でバックル１８により着用者（人体Ａ）の体型に則した長さに調節されているので、着用時のフィット感が高められ、後身頃１０及び各肩ヨーク１１のずれをなくして防寒具Ｗ１を円滑に着用することができる。
【００３２】
更に、防寒具Ｗ１を着用した状態で、登山用のバックパックなどを背負った際には、２層構造となる防寒具Ｗ１の後身頃１０がクッションとして機能し、バックパックからの衝撃を円滑に緩衝させることもできる。また、業務上において室温を上げ難い鮮魚場や食品市場などでの着用にも好適である。しかも、防寒具Ｗ１を、福祉施設や介護施設などの入所者や病院の入院患者が検査を待つときに貸し出したり、温泉施設での浴衣の上からの羽織代わりに貸し出したり、寺院内での法要や葬儀の際に貸し出すなどして、需要の拡大を図ることもできる。
【００３３】
なお、本実施の形態では、表裏材１３，１４を互いに重ね合わせて後身頃１０を２層構造に形成したが、図６に示すように、人体Ａの腰部Ａ２付近に対応する後身頃１０の裏側材１４の対応位置に、表裏材１３，１４同士の間に設けられた左右一対の収容部１４１，１４１の上端を開口させ、この各収容部１４１内に発熱材としての携帯懐炉３が収容されていてもよい。この場合、各収容部１４１に収容される携帯懐炉３としては、各収容部１４１に対し接着される接着式のものであってもよく、この携帯懐炉３によって気温や体調に応じた腰部Ａ２の積極的な防寒対策を実践することができる。
【００３４】
また、図７に示すように、人体Ａの左右の両肩Ａ４，Ａ４付近に対応する後身頃１０の裏側材１４の対応位置に、表裏材１３，１４同士の間に設けられた左右一対の収容部１４２，１４２の上端を開口させ、この各収容部１４２内に発熱材としての携帯懐炉３が収容されていてもよい。この場合においても、各収容部１４２に収容される携帯懐炉３としては、各収容部１４２に対し接着される接着式のものであってもよく、この携帯懐炉３によって気温や体調に応じた左右両肩Ａ４，Ａ４の積極的な防寒対策を実践することができる。
【００３５】
また、本実施の形態では、各掛け紐部本体１７の他端側を着用者の体型に則した長さに調節する調節具としてバックル１８を用いたが、図８に示すように、各掛け紐部本体１７の他端側と後身頃１０の略中央部の左右両端位置１０１，１０１との間にスナップボタン１９（調節具）が取り付けられていてもよい。具体的には、スナップボタン１９は、複数（図８では２つ）の雄スナップ１９１（又は雌スナップ）が各掛け紐部本体１７の他端側の長手方向に間隔を隔てて取り付けられる一方、後身頃１０の略中央部の左右両端位置１０１（図８では左側のみ示す）に単一の雌スナップ１９２（又は雄スナップ）が取り付けられ、各掛け紐部本体１７の他端側のいずれかの雄スナップ１９１を後身頃１０の略中央部の左右両端位置１０１，１０１の雌スナップ１９２に嵌合させることで、着用者（人体Ａ）の体型に則した長さに各掛け紐部本体１７が調節される。
【００３６】
また、本実施の形態では、各掛け紐部１２に、各肩ヨーク１１の下端１１１に対し一端が連結された掛け紐部本体１７と、この掛け紐部本体１７の他端側を後身頃１０の略中央部の左右両端位置１０１，１０１との間で調節するバックル１８とを設けたが、図９及び図１０に示すように、略均一な左右幅（例えば４０ｍｍ程度）に形成された伸縮自在なゴム帯により掛け紐部２１，２１を構成し、この各掛け紐部２１が、後身頃１０の略中央部の左右両端位置１０１，１０１にそれぞれ一端が止着された掛け紐部本体２２と、各肩ヨーク１１の下端１１１において袋状に形成された収容部の底部（図９及び図１０では上部）に両端が縫着されたゴム帯２３に上端が掛け渡されて保持される角カン２４と、バックル１８とを備えていてもよい。また、各掛け紐部本体２２は、後身頃１０の略中央部の左右両端位置１０１，１０１にそれぞれ一端が止着され、各掛け紐部２１のバックル１８の下側枠体内に裏側から挿通して分割片１８２を乗り越えた後に上側枠体内に表側（反人体Ａ側）から挿通され、それから、各肩ヨーク１１の下端１１１に取り付けられた角カン２４に各掛け紐部本体２３の途中部を掛け渡して折り返してから他端がバックル１８の分割片１８２に取り付けられる。この場合、各掛け紐部本体２２は、バックル１８の分割片１８２に取り付けられた他端より角カン２４で折り返されて表側（反人体Ａ側）となる表側部分がバックル１８の上側枠体内に裏側から挿通されて分割片１８２を乗り越えた後に下側枠体内に表側から挿通され、バックル１８を各掛け紐部本体２２の一端側つまり後身頃１０の略中央部の左右両端位置１０１，１０１側に移動させることで、各肩ヨーク１１の下端１１１と後身頃１０の略中央部の左右両端位置１０１，１０１との間で着用者の体型に則した長さに調節される。
【００３７】
また、図１１〜図１３に示すように、左右の肩ヨーク１１，１１の下端１１１及び後身頃１０の略中央部の左右両端位置１０１，１０１に、各掛け紐部本体２２の一端及びゴム帯２３の上端を収容可能とする袋状の収容部をそれぞれ表裏材１３，１４によって形成するとともに、各掛け紐部本体２２の一端及びゴム帯２３の上端との間にそれぞれ表裏一対のスナップボタン２５，２５が設けられていてもよい。具体的には、表裏一対のスナップボタン２５，２５は、左右の肩ヨーク１１の下端１１１及び後身頃１０の略中央部の左右両端位置１０１，１０１の収容部内における表裏材１３，１４の互いに対向する裏側面にそれぞれ取り付けられた雄スナップ２５１，２５１（又は雌スナップ）と、各掛け紐部本体２２の一端の表裏両面及びゴム帯２３の上端の表裏両面にそれぞれ取り付けられた雌スナップ２５２，２５２（又は雄スナップ）とを備えている。そして、表裏材１３，１４を反転させた際にバックル１８が表側（各掛け紐部本体２２の表側部分が分割片１８２を乗り越える向き）となるように、各掛け紐部本体２２の一端の表裏両面及びゴム帯２３の上端の表裏両面の各雌スナップ２５２に対し各肩ヨーク１１の下端１１１及び後身頃１０の略中央部の左右両端位置１０１，１０１の収容部内において互いに対向する表裏材１３，１４の裏側面の雄スナップ２５１を嵌合させている。この場合には、表裏材１３，１４を表裏反転させて防寒具Ｗ１を着用する際に各掛け紐部２１も表裏反転させて取り付ければ、防寒具Ｗ１の表裏いずれにおいてもバックル１８によるごわ付き感を解消することが可能となる。しかも、各掛け紐部本体２２及びゴム帯２３の経時的な使用による劣化時に交換を容易に行うことが可能となる。
【００３８】
また、本実施の形態では、後身頃１０、各肩ヨーク１１及び各掛け紐部１２をフリースよりなる素材を用いた表裏材１３，１４を互いに重ね合わせて２層構造に形成したが、ボアなどの保温性を有する素材を用いた表裏材を互いに重ね合わせて２層構造の本体部及び各掛け紐部が形成されていてもよい。
【００３９】
更に、本実施の形態では、表裏材１３，１４の互いの色調を異ならせたが、表裏材の一方にボアなどの素材を用い、他方にフリースなどの素材を用いて、互いの素材の種類を異ならせていてもよい。更に、表裏材の少なくとも一方に模様が描かれた素材を用い、表皮材の互いの色調及び模様をそれぞれ異ならせていてもよい。
【００４０】
次に、本考案の第２の実施の形態を図１４〜図２０に基づいて説明する。
【００４１】
この実施の形態では、防寒具の表裏材の構成を変更している。図１４は本考案の第２の実施の形態に係る防寒具を人体に着用した状態で前方から見た正面図、図１５は防寒具を後方から見た背面図、図１６は防寒具を斜め前方から見た斜視図、図１７は防寒具の連結手段を後方から見た背面図、図１８は防寒具を表裏反転させて人体に着用した状態を示す展開図、図１９は表裏反転させた防寒具を後方から見た背面図、図２０は表裏反転させた防寒具を斜め前方から見た斜視図をそれぞれ示している。なお、表裏材を除くその他の構成は、前記第１の実施の形態と同じであり、同一部分については同じ符号を付してその詳細な説明は省略する。
【００４２】
すなわち、図１４〜図１６に示すように、防寒具Ｗ２は、袖無し半纏タイプのものであり、人体Ａの背中Ａ１及び腰部Ａ２を後方から覆って防寒する後身頃３０と、この後身頃３０の上端の左右両位置より人体Ａの胸Ａ５の上部付近までを前方から覆って防寒する左右の肩ヨーク３１，３１と、左右一対の掛け紐部２１，２１とを備えている。そして、防寒具Ｗ２は、上着の上から着用されるアウターとして適用される一方、セーターや背広などの上着の下に着用されるインナーとしても適用される。
【００４３】
後身頃３０及び各肩ヨーク３１は、保温性を有するボアよりなる素材が用いられた表側材３３と、ボアやフリースより薄いサテン地などの薄素材が用いられた裏側材３４とを備え、この表裏材３３，３４を互いに重ね合わせた状態で刺し縫い（図中において波線で示す）して２層構造で形成されている。この表裏材３３，３４は、表側材３３が黒色に着色されている一方、裏側材３４が金色に着色され、互いの色調及び素材を異ならせている。この表側材３３と裏側材３４とは、互いの周縁全域においても縫着され、後身頃３０（後述する上側部分３６）及び各肩ヨーク３１を一体的に成形している。
【００４４】
また、後身頃３０は、その上端が人体Ａの首Ａ３の裾に沿う位置まで延長している。また、各肩ヨーク３１は、人体Ａの首Ａ３の裾に沿う位置まで延長された後身頃３０の延長部分３５の左右両端Ｑから肩幅端Ｐまでの左右の両肩頂部分より人体Ａの胸Ａ５の上部付近まで回り込んで形成され、その人体Ａの胸Ａ５の上部に回り込むまでの間に左右幅が収束され、その収束した下端３１１が各掛け紐部２１の一端（上端）に一体的に連結されている。この場合、各肩ヨーク３１は、延長部分３５の左右両端Ｑから肩幅端Ｐまでの各肩ヨーク３１の基端（左右の両肩頂部分）での左右幅は１５０ｍｍ程度であり、これが胸Ａ５の上部付近に回り込むまでの間に各掛け紐部２１の左右幅と一致する４０ｍｍ程度の左右幅まで徐々に収束している。
【００４５】
各掛け紐部２１は、後身頃３０の略中央部の左右両端位置３０１，３０１にそれぞれ一端が止着された掛け紐部本体２２と、各肩ヨーク３１の下端３１１において袋状に形成された収容部の底部に両端が縫着されたゴム帯２３に上端が掛け渡されて保持される角カン２４と、バックル１８とを備えている。また、左右の肩ヨーク３１，３１の下端３１１及び後身頃３０の略中央部の左右両端位置３０１，３０１に、各掛け紐部本体２２の一端及びゴム帯２３の上端を収容可能とする袋状の収容部をそれぞれ表裏材３３，３４によって形成するとともに、各掛け紐部本体２２の一端及びゴム帯２３の上端との間にそれぞれ表裏一対のスナップボタン２５，２５が設けられている。つまり、表裏一対のスナップボタン２５，２５は、各掛け紐部本体２２の一端の表裏両面及びゴム帯２３の上端の表裏両面にそれぞれ取り付けられた雄スナップ２５１，２５１（又は雌スナップ）と、左右の肩ヨーク３１，３１の下端３１１及び後身頃３０の略中央部の左右両端位置３０１，３０１の収容部内における表裏材３３，３４の互いに対向する裏側面にそれぞれ取り付けられた雌スナップ２５２，２５２（又は雄スナップ）とを備えている。そして、表裏材３３，３４を反転させた際にバックル１８が表側（各掛け紐部本体２２の表側部分が分割片１８２を乗り越える向き）となるように、各掛け紐部本体２２の一端の表裏両面及びゴム帯２３の上端の表裏両面の各雄スナップ２５１を左右の肩ヨーク３１の下端３１１及び後身頃３０の略中央部の左右両端位置３０１，３０１の収容部内において互いに対向する表裏材３３，３４の裏側面の雌スナップ２５２に嵌合させている。
【００４６】
また、図１７に示すように、後身頃３０は、人体Ａの背中Ａ１に対応する上側部分３６と人体Ａの腰部Ａ２に対応する下側部分３７とを備え、下側部分３７が上側部分３６に対し連結手段としてのオープンファスナ３８を介して取り外し可能に連結されている。上側部分３６の下端は、表裏材３３，３４がそれぞれ箇々にほつれ止めされ、表裏材３３，３４同士の左右両端が開放されている。また、表裏材３３，３４同士は、それぞれの下端より若干量（例えば２〜３ｃｍ程度）上側で縫着されている。そして、下側部分３７は、表側材３３と裏側材３４とが互いの周縁全域において縫着されているとともに、表裏材３３，３４を互いに重ね合わせて刺し縫いされている。
【００４７】
オープンファスナ３８は、スライダ３８０によって噛み合わされるエレメント３８１，３８２を備えている。各エレメント３８１，３８２は、それぞれ布材よりなるテープ３８３，３８４に取り付けられている。スライダ３８０は、一方のエレメント３８１（図１７では上側のエレメント）から離脱可能とされているとともに、他方のエレメント３８２（図１７では下側のエレメント）から離脱不能とされている。一方のエレメント３８１は、後身頃３０の上側部分３６の下端を若干量上側で縫着する際に表裏材３３，３４同士の間にテープ３８３を挟み込んで止着されている。また、他方のエレメント３８２は、後身頃３０の下側部分３７の上端を縫着する際に表裏材３３，３４同士の間にテープ３８４を挟み込んで止着されている。そして、他方のエレメント３８２は、下側部分３７の上端よりも上方に位置し、上側部分３６の下端を縫着する際にテープ３８３が止着された一方のエレメント３８１に対し上側部分３６の下端において表裏材３３，３４同士の間で遮蔽された状態で噛み合わされる。この場合、後身頃３０の上側部分３６の下端と下側部分３７の上端とは、オープンファスナ３８により連結された状態では互いに重なり合うことなく連続し、互いの重なり合いによるごわ付き感を招かないようにしている。
【００４８】
ここで、防寒具Ｗ２を上着の下に着用する場合の手順を図１８〜図２０に基づいて説明する。
防寒具Ｗ２は、人体Ａの背中Ａ１及び腰部Ａ２を後方から覆って防寒するものであることから、上着の下に着用する場合には、表裏材３３，３４を表裏反転させて裏側材３４を表側にし、バックル１８が表側となるように、各掛け紐部本体２２の一端の表裏両面及びゴム帯２３の上端の表裏両面の各雄スナップ２５１を表裏逆にして雌スナップ２５２に嵌合し直す。そして、下側部分３７を上側部分３６からオープンファスナ３８による噛み合いを解除して取り外し、上着の下から防寒具Ｗ２（下側部分３７）が露呈しないようにして見栄えを良好に保つようにしている。また、サテン地などの薄素材が裏側材３４に用いられているので、上着の下に防寒具Ｗ２を着用した際のごわ付き感が抑制される上、裏側材３４に対する上着の滑りも良好なものとなり、身体の動きに制約を与えない。
【００４９】
したがって、本実施の形態では、後身頃３０及び各肩ヨーク３１が、ボアよりなる保温性を有する素材からなる表側材３３とサテン地などの薄素材からなる裏側材３４とを互いに重ね合わせた状態で刺し縫いして２層構造で形成されているので、表裏材同士の間に真綿等を挟んだもののように、洗濯した際に乾燥に時間を要したり、型くずれすることもなく、洗濯に適した衛生面での取り扱いを優先することができる。また、防寒具Ｗ２がボアなどの素材からなる表側材３３とサテン地などの薄素材からなる裏側材３４とによる２層構造であることから、着ぶくれ感も大幅に解消され、着用した状態での動作が制約されずに作業性をより向上させることができる。しかも、ボアよりなる素材を表側材３３に用いることで、伝承的な和風調のものから現代風に変調されて現代の装いにも自然と合致し、屋外での着用はもちろんのこと、冬季に室温の低下傾向の進行に伴うオフィスなどでの着用や公共施設での着用にも十分に適合することができる。
【００５０】
また、後身頃３０の上側部分３６の下端に対し下側部分３７の上端がオープンファスナ３８により取り外し可能に連結されているので、丈の短い上着のインナーとして防寒具Ｗ２を着用する際に下側部分３７を取り外しておけば後身頃３０が上着からはみ出すことがなく、防寒具Ｗ２を上着の丈の長さに応じてインナーとして見栄えよく着用することができる。一方、丈の短い上着のアウターとして防寒具Ｗ２を着用する際に下側部分３７を取り付けておけば、上着の外方から後身頃３０で覆われて腰部Ａ２の保温効果を発揮することができる。
【００５１】
更に、後身頃３０及び各肩ヨーク３１が、ボアなどの素材からなる表側材３３とサテン地などの薄素材からなる裏側材３４とを互いに重ね合わせた状態で刺し縫いされていることにより、表裏材３３，３４がごわ付くことなく一体的に纏まり、保温性を備えたインナーとして防寒具Ｗ２を着用することができる。しかも、サテン地などの薄素材からなる裏側材３４を表側に反転させて上着のインナーとして着用することで、上着を脱いだ際に違和感なく着用でき、リバーシブル機能を発揮してファッション性をより高めることができる。
【００５２】
なお、本実施の形態では、ボアよりなる表側材３３とサテン地などよりなる裏側材３４との２層構造で形成した後身頃３０の下側部分３７を上側部分３６に対しオープンファスナ３８を介して取り外し可能に連結したが、図２１に示すように、フリースよりなる表裏材１３，１４を互いに重ね合わせて２層構造で後身頃１０、各肩ヨーク１１及び各掛け紐部１２を一体的に成形した防寒具Ｗ１においても、後身頃１０に、人体Ａの背中Ａ１に対応する上側部分３６と人体Ａの腰部Ａ２に対応する下側部分３７とを備え、下側部分３７が上側部分３６に対しオープンファスナを介して取り外し可能に連結されていてもよい。
【００５３】
また、本実施の形態では、後身頃３０の上側部分３６と下側部分３７とをオープンファスナ３８により連結したが、図２２に示すように、後身頃３０の上側部分３６と下側部分３７とが連結手段としての面ファスナ３９によって取り外し可能に連結されていてもよい。具体的には、上側部分３６の下端は、これより若干量（例えば２〜３ｃｍ程度）上側において表裏材３３，３４が縫着された縫着部分を底部にして表裏材３３，３４により袋状に形成されており、面ファスナ３９は、その袋状となる表裏材３３，３４の互いに対向する裏側面にそれぞれ取り付けられた雄側のフック面３９１，３９１，…（又は雌側のループ面）と、下側部分３７の上端の表裏材３３，３４の表側面（図２１では表側材の表側面のみ示す）にそれぞれ取り付けられた雌側のループ面３９２，３９２，…（又は雄側のフック面）とを備えている。
【００５４】
更に、上側部分３６の下端において袋状となる表裏材３３，３４の互いに対向する裏側面のいずれか一方に雄側のフック面３９１が取り付けられる一方、他方に雌側のループ面３９２が取り付けられ、下側部分３７を取り外した際に上側部分３６の下端が面ファスナ３９によって閉じられるようにしてもよい。このとき、下側部分３７の上端の表裏材３３，３４の表側面には、上側部分３６の下端の表裏材３３，３４の互いに対向する裏側面に取り付けた雄側のフック面３９１又は雌側のループ面３９２に接着する雌側のループ面３９２又は雄側のフック面３９１が取り付けられる。
【符号の説明】
【００５５】
１０      後身頃
１０１    略中央部の左右両端位置
１１      肩ヨーク
１１１    下端
１２      掛け紐部
１３      表側材
１４      裏側材
１４１    収容部
１４２    収容部
１５      延長部分
１８      バックル（調節具）
１９      スナップボタン（調節具）
２１      掛け紐部
３        携帯懐炉（発熱材）
３０      後身頃
３０１    略中央部の左右両端位置
３１      肩ヨーク
３１１    下端
３３      表側材
３４      裏側材（薄素材）
３５      延長部分
３６      上側部分
３７      下側部分
３８      オープンファスナ（連結手段）
３９      面ファスナ（連結手段）
Ａ        人体
Ａ１      背中
Ａ２      腰部
Ａ３      首
Ａ５      胸
Ｑ        延長部分の左右両端
Ｐ        肩幅端
Ｗ１      防寒具
Ｗ２      防寒具
【図１】
0003177490.tif 000003
【図２】
0003177490.tif 000004
【図３】
0003177490.tif 000005
【図４】
0003177490.tif 000006
【図５】
0003177490.tif 000007
【図６】
0003177490.tif 000008
【図７】
0003177490.tif 000009
【図８】
0003177490.tif 000010
【図９】
0003177490.tif 000011
【図１０】
0003177490.tif 000012
【図１１】
0003177490.tif 000013
【図１２】
0003177490.tif 000014
【図１３】
0003177490.tif 000015
【図１４】
0003177490.tif 000016
【図１５】
0003177490.tif 000017
【図１６】
0003177490.tif 000018
【図１７】
0003177490.tif 000019
【図１８】
0003177490.tif 000020
【図１９】
0003177490.tif 000021
【図２０】
0003177490.tif 000022
【図２１】
0003177490.tif 000023
【図２２】
0003177490.tif 000024